(57)【要約】【課題】  無線接続設定がされていない無線端末に無線接続設定を行う無線接続設定システムにおいて、容易に無線接続設定をすることができ、かつ、ネットワークへの不正な接続を防止できるようにする。【解決手段】  以上のように詳述した無線接続設定システム１ａにおいて、無線複合機３ａは、無線接続設定出力処理において、外部から無線接続データの要求を受けると、ＲＡＭ１４ａに記憶された無線接続データを暗号化した暗号化データを生成し、この暗号化された暗号化データを、メモリカード装着部２４ａまたは画像形成部２５ａを用いて、記録媒体に出力する。また、無線複合機３ｂは、無線接続設定入力処理において、メモリカード装着部２４ｂまたは画像読取部２６ｂにより取得された暗号化データを復号化することにより、暗号化前の無線接続データを生成し、ＲＡＭ１４ｂに記憶させる。【選択図】  図１
2006279831.tif 000002
【特許請求の範囲】
【請求項１】
無線端末を特定のネットワークに無線接続するための接続データを記憶する出力側接続データ記憶手段と、
外部から接続データの要求を受けると、前記出力側接続データ記憶手段に記憶された接続データを暗号化した暗号化データを生成する暗号化手段と、
前記暗号化手段により暗号化された暗号化データを記録媒体に出力する出力手段と、
を備えた接続データ出力装置と、
無線アクセスポイントまたは他の無線端末を通信対象として、この通信対象と無線でデータ通信を行うことで特定のネットワークへの無線接続を実行可能な第１無線通信手段と、
前記第１無線通信手段を特定のネットワークに無線接続するための接続データを記憶する入力側接続データ記憶手段と、
前記入力側接続データ記憶手段に記憶された接続データに基づいて、前記第１無線通信手段を制御することにより、前記通信対象との無線接続を確立する第１接続制御手段と、
前記出力手段により暗号化データが出力された記録媒体から、前記暗号化データを取得する取得手段と、
前記取得手段により取得された暗号化データを復号化することにより、暗号化前の接続データを生成し、前記入力側接続データ記憶手段に記憶させる復号化手段と、
を備えた無線端末と、
を具備したことを特徴とする無線接続設定システム。
【請求項２】
前記暗号化手段は、前記接続データを数値化し、この数値化したデータに予め設定された条件で乱数を混ぜ、この乱数を混ぜたデータを暗号化することにより前記暗号化データを生成し、
前記復号化手段は、前記暗号化データを復号化し、前記暗号化手段により混ぜられた乱数を同様の条件で取り除き、暗号化前の接続データを生成すること
を特徴とする請求項１に記載の無線接続設定システム。
【請求項３】
前記暗号化手段は、前記暗号化データを画像化した画像データを生成し、
前記復号化手段は、前記暗号化手段により生成された画像データを暗号化データに復元し、この暗号化データを復号化することにより、暗号化前の接続データを生成すること
を特徴とする請求項１または請求項２に記載の無線接続設定システム。
【請求項４】
前記暗号化手段は、前記画像データとして、２次元バーコードを生成することを特徴とする請求項３に記載の無線接続設定システム。
【請求項５】
前記暗号化手段は、前記画像データに可逆の画像変換を加えた新たな画像データを生成することを特徴とする請求項３または請求項４に記載の無線接続設定システム。
【請求項６】
前記暗号化手段は、前記画像データを分割し、この分割した画像データの少なくとも１つに対して、復元可能な画像変換を加えた新たな画像データを生成することを特徴とする請求項５に記載の無線接続設定システム。
【請求項７】
前記接続データ出力装置は、入力された画像データに基づく画像を被記録媒体に形成する画像形成手段を備え、
前記無線端末は、被記録媒体に形成された画像を読み取り画像データに変換する画像読取手段を備え、
前記出力手段は、前記画像形成手段を用いて、前記暗号化手段により生成された画像データを画像として被記録媒体に書き込み、
前記取得手段は、前記画像読取手段を用いて、前記画像形成手段により書き込まれた画像を読み取り、この読み取った画像を画像データに変換し、画像データを読み取ること
を特徴とする請求項３〜請求項６の何れかに記載の無線接続設定システム。
【請求項８】
前記接続データ出力装置および前記無線端末は、共通規格の外部メモリを相互に脱着可能なメモリ装着部を備え、
前記出力手段は、前記接続データ出力装置のメモリ装着部に装着された外部メモリに前記接続データを含む画像データを記録し、
前記取得手段は、前記出力手段による画像データが記録され、前記無線端末のメモリ装着部に装着された外部メモリから前記接続データを含む画像データを入力すること
を特徴とする請求項３〜請求項６の何れかに記載の無線接続設定システム。
【請求項９】
前記接続データ出力装置は、
前記特定のネットワークを管理するための管理者用パスワードを記憶するパスワード記憶手段と、
使用者から管理者用パスワードの入力を受け付けるための第１受付部と、
前記第１受付部を介して入力された管理者用パスワード、および前記パスワード記憶手段に記憶された管理者用パスワードを照合し、前記各管理者用パスワードが一致しなかった場合に前記出力手段に前記暗号化データを出力させないようにする第１禁止手段と、
を備えたことを特徴とする請求項１〜請求項８の何れかに記載の無線接続設定システム。
【請求項１０】
前記接続データ出力装置は、使用者から管理者用パスワードの入力を受け付けるための第２受付部を備え、
前記無線端末は、
使用者から管理者用パスワードの入力を受け付けるための第３受付部と、
前記第２受付部により受け付けられた管理者用パスワード、および前記第３受付部を介して入力された管理者用パスワードを照合し、前記各管理者用パスワードが一致しなかった場合に前記第１接続制御手段に前記通信対象との無線接続を確立させないようにする第２禁止手段と、
を備えたことを特徴とする請求項１〜請求項９の何れかに記載の無線接続設定システム。
【請求項１１】
前記暗号化手段は、前記出力側接続データ記憶手段に記憶された接続データと、前記第２受付部を介して入力された管理者用パスワードとを、暗号化した暗号化データを生成し、
前記出力手段は、前記暗号化手段により暗号化された暗号化データを記録媒体に出力し、
前記取得手段は前記出力手段により暗号化データおよび管理者用パスワードが出力された記録媒体から、前記暗号化データおよび前記管理者用パスワードを取得し、
前記復号化手段は、前記取得手段により取得された暗号化データを復号化することにより、暗号化前の接続データおよび管理者用パスワードを生成し、
前記第２禁止手段は、前記複合化手段により生成された管理者用パスワード、および前記第３受付部を介して入力された管理者用パスワードを照合すること
を特徴とする請求項１０に記載の無線接続設定システム。
【請求項１２】
前記接続データ出力装置および前記無線端末は、無線接続設定をする無線端末の機種に応じて設定された秘密鍵を記憶する秘密鍵記憶手段を備え、
前記暗号化手段は、前記接続データ出力装置の秘密鍵記憶手段に記憶された秘密鍵を用いて暗号化データを生成し、
前記復号化手段は、前記無線端末の秘密鍵記憶手段に記憶された秘密鍵を用いて復号化を行うこと
を特徴とする請求項１〜請求項１１の何れかに記載の無線接続設定システム。
【請求項１３】
前記接続データ出力装置の秘密鍵記憶手段は、複数の機種に対応して設定された複数種類の秘密鍵を記憶しており、
前記接続データ出力装置は、前記秘密鍵記憶手段に記憶された複数種類の秘密鍵から無線接続設定をする無線端末の機種に対応した秘密鍵を外部指令に基づいて選択する選択手段を備え、
前記暗号化手段は、前記選択手段により選択された秘密鍵を用いて暗号化データを生成すること
を特徴とする請求項１２に記載の無線接続設定システム。
【請求項１４】
前記接続データ出力装置は、文字入力が可能な入力装置を備え、
前記出力手段は、前記入力装置を介して入力された接続データを記録媒体に出力すること
を特徴とする請求項１〜請求項１３の何れかに記載の無線接続設定システム。
【請求項１５】
前記接続データ出力装置は、
無線アクセスポイント、前記無線端末、または他の無線端末を通信対象として、この通信対象と無線でデータ通信を行うことで特定のネットワークへの無線接続を実行可能な第２無線通信手段と、
予め設定された無線接続に関する接続データに基づいて、前記第２無線通信手段を制御することにより、前記通信対象との無線接続を確立する第２接続制御手段と、
接続データの要求を受けると、前記第２接続制御手段により無線接続を確立する際に利用した接続データを読み出し、前記出力側接続データ記憶手段に記憶させる記憶制御手段と、
を備えたことを特徴とする請求項１〜請求項１４の何れかに記載の無線接続設定システム。
【請求項１６】
請求項１〜請求項１５の何れかに記載の無線接続設定システムを構成する無線端末。
【請求項１７】
請求項１〜請求項１５の何れかに記載の無線接続設定システムを構成する接続データ出力装置。
【発明の詳細な説明】
【技術分野】
【０００１】
本発明は、無線接続設定がされていない無線端末に無線接続設定を行う無線接続設定システム、およびこのシステムを構成する無線端末並びに接続データ出力装置に関する。
【背景技術】
【０００２】
従来より、この種のシステムにおいては、特定のネットワークに対する無線接続設定を行う際に、無線接続設定を記載した用紙を予め準備しておき、無線接続設定をしたい無線端末で、この用紙をスキャンし、この用紙に記載されている内容を文字認識（ＯＣＲ）して、この認識結果に基づいて無線接続設定を行うものが知られている（例えば、特許文献１参照）。
【特許文献１】特開平１１−２９８５００号公報
【発明の開示】
【発明が解決しようとする課題】
【０００３】
しかしながら、上記システムにおいては、無線接続設定が記載された用紙を取得しさえすれば、この用紙に記載された内容に基づいて、誰でも容易にこのネットワークに対する無線接続設定ができてしまうので、このネットワークへ侵入され易くなってしまうという問題点があった。
【０００４】
そこで、このような問題点を鑑み、無線接続設定がされていない無線端末に無線接続設定を行う無線接続設定システムにおいて、容易に無線接続設定をすることができ、かつ、ネットワークへの不正な接続を防止できるようにすることを本発明の目的とする。
【課題を解決するための手段】
【０００５】
かかる目的を達成するためになされた請求項１に記載の無線接続設定システムは、無線端末を特定のネットワークに無線接続するための接続データを記憶する出力側接続データ記憶手段と、外部から接続データの要求を受けると、前記出力側接続データ記憶手段に記憶された接続データを暗号化した暗号化データを生成する暗号化手段と、前記暗号化手段により暗号化された暗号化データを記録媒体に出力する出力手段と、を備えた接続データ出力装置と、無線アクセスポイントまたは他の無線端末を通信対象として、この通信対象と無線でデータ通信を行うことで特定のネットワークへの無線接続を実行可能な第１無線通信手段と、前記第１無線通信手段を特定のネットワークに無線接続するための接続データを記憶する入力側接続データ記憶手段と、前記入力側接続データ記憶手段に記憶された接続データに基づいて、前記第１無線通信手段を制御することにより、前記通信対象との無線接続を確立する第１接続制御手段と、前記出力手段により暗号化データが出力された記録媒体から、前記暗号化データを取得する取得手段と、前記取得手段により取得された暗号化データを復号化することにより、暗号化前の接続データを生成し、前記入力側接続データ記憶手段に記憶させる復号化手段と、を備えた無線端末と、を具備したことを特徴としている。
【０００６】
従って、このような無線接続設定システムによれば、暗号化された接続データを接続データ出力装置から無線端末に入力するので、この暗号化された接続データが漏洩したとしても、この特定のネットワークに無線接続されないようにすることができる。
【０００７】
なお、本発明でいう記録媒体としては、例えば、用紙（被記録媒体）、接触式メモリカード、非接触式メモリカード（ＩＣカード）等を適用することができる。
また、請求項１に記載の無線接続設定システムにおいては、請求項２に記載のように、暗号化手段は、接続データを数値化し、この数値化したデータに予め設定された条件で乱数を混ぜ、この乱数を混ぜたデータを暗号化することにより暗号化データを生成し、復号化手段は、暗号化データを復号化し、暗号化手段により混ぜられた乱数を同様の条件で取り除き、暗号化前の接続データを生成することが望ましい。
【０００８】
このような無線接続設定システムによれば、乱数を混ぜることにより暗号化データを複雑にすることができるので、暗号化データをより解読され難くすることができる。
さらに、請求項１または請求項２に記載の無線接続設定システムにおいては、請求項３に記載のように、暗号化手段は、暗号化データを画像化した画像データを生成し、復号化手段は、暗号化手段により生成された画像データを暗号化データに復元し、この暗号化データを復号化することにより、暗号化前の接続データを生成することが望ましい。
【０００９】
特に、暗号化手段は、請求項４に記載のように、画像データとして、２次元バーコードを生成するよう構成してもよい。
このような無線接続設定システムによれば、暗号化データをより解読され難くすることができる。
【００１０】
また、請求項３または請求項４に記載の無線接続設定システムにおいて、暗号化手段は、請求項５に記載のように、画像データに可逆の画像変換を加えた新たな画像データを生成することが望ましい。
【００１１】
特に、暗号化手段は、請求項６に記載のように、画像データを分割し、この分割した画像データの少なくとも１つに対して、復元可能な画像変換を加えた新たな画像データを生成するよう構成してもよい。
【００１２】
このような無線接続設定システムによれば、暗号化をより複雑にすることができるので、暗号化データを解読され難くすることができる。特に、請求項４に記載の発明に本発明（請求項５または請求項６）を適用した場合においては、市販のバーコードリーダを用いても、この画像データ（２次元バーコード）に記載されている内容を読み取れないようにすることができる。
【００１３】
加えて、請求項３〜請求項６の何れかに記載の無線接続設定システムの具体的な構成としては、例えば、請求項７に記載のように構成してもよいし、請求項８のように構成してもよい。
【００１４】
即ち、請求項７に記載の無線接続設定システムにおいては、接続データ出力装置は、入力された画像データに基づく画像を被記録媒体に形成する画像形成手段を備え、無線端末は、被記録媒体に形成された画像を読み取り画像データに変換する画像読取手段を備え、出力手段は、画像形成手段を用いて、暗号化手段により生成された画像データを画像として被記録媒体に書き込み、取得手段は、画像読取手段を用いて、画像形成手段により書き込まれた画像を読み取り、この読み取った画像を画像データに変換し、画像データを読み取るよう構成されている。
【００１５】
また、請求項８に記載の無線接続設定システムにおいては、接続データ出力装置および無線端末は、共通規格の外部メモリを相互に脱着可能なメモリ装着部を備え、出力手段は、接続データ出力装置のメモリ装着部に装着された外部メモリに接続データを含む画像データを記録し、取得手段は、出力手段による画像データが記録され、無線端末のメモリ装着部に装着された外部メモリから接続データを含む画像データを入力するよう構成されている。
【００１６】
このような無線接続設定システムによれば、接続データ出力装置と無線端末とをケーブル等で接続するなどの手間を掛けることなく、容易かつ確実に無線接続設定を行うことができる。
【００１７】
また、請求項１〜請求項８の何れかに記載の無線接続設定システムにおいて、接続データ出力装置は、請求項９に記載のように、特定のネットワークを管理するための管理者用パスワードを記憶するパスワード記憶手段と、使用者から管理者用パスワードの入力を受け付けるための第１受付部と、第１受付部を介して入力された管理者用パスワード、およびパスワード記憶手段に記憶された管理者用パスワードを照合し、各管理者用パスワードが一致しなかった場合に出力手段に暗号化データを出力させないようにする第１禁止手段と、を備えていることが望ましい。
【００１８】
従って、このような無線接続設定システムによれば、管理者用パスワードを知るもの以外が不正にネットワークに接続することを禁止することができる。
なお、本発明において、第１禁止手段は、暗号化手段による処理を禁止してもよいし、出力手段による処理を禁止してもよい。どちらの場合であっても、出力手段に暗号化データを出力させないようにすることができる。
【００１９】
さらに、請求項１〜請求項９の何れかに記載の無線接続設定システムにおいては、請求項１０に記載のように、接続データ出力装置は、使用者から管理者用パスワードの入力を受け付けるための第２受付部を備え、無線端末は、使用者から管理者用パスワードの入力を受け付けるための第３受付部と、第２受付部により受け付けられた管理者用パスワード、および第３受付部を介して入力された管理者用パスワードを照合し、各管理者用パスワードが一致しなかった場合に前記第１接続制御手段に前記通信対象との無線接続を確立させないようにする第２禁止手段と、を備えていることが望ましい。
【００２０】
このような無線接続設定システムによれば、接続データ出力装置側、および無線端末側にて入力された管理者用パスワードが一致しない場合には、無線接続を確立させないようにすることができるので、接続データが記録された記録媒体を権限を持たない者に入手された場合であっても、その者により無線接続が確立されてしまうことを防止することができる。
【００２１】
加えて、請求項１０に記載の無線接続設定システムにおいては、請求項１１に記載のように、暗号化手段は、出力側接続データ記憶手段に記憶された接続データと、第２受付部を介して入力された管理者用パスワードとを、暗号化した暗号化データを生成し、出力手段は、暗号化手段により暗号化された暗号化データを記録媒体に出力し、取得手段は出力手段により暗号化データおよび管理者用パスワードが出力された記録媒体から、暗号化データおよび管理者用パスワードを取得し、復号化手段は、取得手段により取得された暗号化データを復号化することにより、暗号化前の接続データおよび管理者用パスワードを生成し、第２禁止手段は、複合化手段により生成された管理者用パスワード、および第３受付部を介して入力された管理者用パスワードを照合することが望ましい。
【００２２】
このような無線接続設定システムによれば、管理者パスワードについても暗号化するので、よりセキュリティ性を向上させることができる。
また、請求項１〜請求項１１の何れかに記載の無線接続設定システムにおいては、請求項１２に記載のように、接続データ出力装置および無線端末は、無線接続設定をする無線端末の機種に応じて設定された秘密鍵を記憶する秘密鍵記憶手段を備え、暗号化手段は、接続データ出力装置の秘密鍵記憶手段に記憶された秘密鍵を用いて暗号化データを生成し、復号化手段は、無線端末の秘密鍵記憶手段に記憶された秘密鍵を用いて復号化を行うことが望ましい。
【００２３】
このような無線接続設定システムによれば、秘密鍵が一致しない場合には、データの復号化を正常に行うことができないので、不正な無線接続を防止することができる。
また、秘密鍵の種類は、機種毎に設定されているので、同じ機種の無線接続設定を容易に行うことができる。また、無線接続設定を違う機種に設定することによる不具合を未然に防止することができる。
【００２４】
さらに、請求項１２に記載の無線接続設定システムにおいては、請求項１３に記載のように、接続データ出力装置の秘密鍵記憶手段は、複数の機種に対応して設定された複数種類の秘密鍵を記憶しており、接続データ出力装置は、秘密鍵記憶手段に記憶された複数種類の秘密鍵から無線接続設定をする無線端末の機種に対応した秘密鍵を外部指令に基づいて選択する選択手段を備え、暗号化手段は、選択手段により選択された秘密鍵を用いて暗号化データを生成することが望ましい。
【００２５】
このような無線接続設定システムによれば、機種毎に秘密鍵が設定されている場合であっても、機種毎に接続データ出力装置を用意することなく、複数の機種における無線接続設定に対応することができる。
【００２６】
具体的には、例えば、接続データ出力装置をパーソナルコンピュータ等の端末装置にて構成する場合に、この無線端末が実行するプログラム（アプリケーション）に複数種類の秘密鍵を登録しておけば、この無線端末は、複数種類の無線端末の機種に応じて、これらの無線端末を特定のネットワークに接続するための接続データを出力することができる。
【００２７】
また、請求項１〜請求項１３の何れかに記載の無線接続設定システムにおいて、接続データ出力装置に文字入力が可能な入力装置が備えられている場合には、請求項１４に記載のように、出力手段は、入力装置を介して入力された接続データを記録媒体に出力することが望ましい。
【００２８】
このような無線接続設定システムによれば、入力装置から接続データを入力することができるので、取得手段を使用せずに接続データを入力したい場合にも、接続データを入力することができる。このため、無線ネットワークに参加させるための設定を最初の装置に入力する際に役に立つ。また、接続データの一部分だけを変更したいときに役に立つ。
【００２９】
なお、入力装置としては、複数の文字から所望の文字を選択するための操作部が備えられたものであれば何でもよいが、多くの文字の中から入力する文字を選択する必要がある場合や、多くの文字を入力する必要がある場合には、入力時間を短縮するために、入力装置としては、多数のボタンが備えられたキーボードを採用することが好ましい。
【００３０】
さらに、請求項１〜請求項１４の何れかに記載の無線接続設定システムにおいて、接続データ出力装置は、請求項１５に記載のように、無線アクセスポイント、無線端末、または他の無線端末を通信対象として、この通信対象と無線でデータ通信を行うことで特定のネットワークへの無線接続を実行可能な第２無線通信手段と、予め設定された無線接続に関する接続データに基づいて、第２無線通信手段を制御することにより、通信対象との無線接続を確立する第２接続制御手段と、接続データの要求を受けると、第２接続制御手段により無線接続を確立する際に利用した接続データを読み出し、出力側接続データ記憶手段に記憶させる記憶制御手段と、を備えていることが望ましい。
【００３１】
このような無線接続設定システムによれば、既に無線接続設定がされている接続データ出力装置の設定を、そのまま無線端末に設定することができるので、極めて容易に無線端末に無線接続設定を行うことができる。
【００３２】
次に、請求項１６に記載の無線端末は、請求項１〜請求項１５の何れかに記載の無線接続設定システムを構成する無線端末であることを特徴としている。
また、請求項１７に記載の接続データ出力装置は、請求項１〜請求項１５の何れかに記載の無線接続設定システムを構成するデータ出力装置であることを特徴としている。
【００３３】
このような無線端末やデータ出力装置によれば、上記の無線接続設定システムを構成するものであるため、請求項１〜請求項１５の何れかに記載の効果が得られる。
【発明を実施するための最良の形態】
【００３４】
以下に本発明にかかる実施の形態を図面と共に説明する。
【実施例１】
【００３５】
図１は、実施例１における無線接続設定システム１ａを示すブロック図である。
図１に示すように、実施例１における無線接続設定システム１ａは、既に無線接続設定がされている無線複合機３ａ（本発明でいう接続データ出力装置）と、未だ無線接続設定がされていない無線複合機３ｂ（本発明でいう無線端末）と、有線のＬＡＮ（ローカルエリアネットワーク）７に接続された無線アクセスポイント８と、ＬＡＮ７に接続された設定用パーソナルコンピュータ（設定用ＰＣ）６とを有する構成とされている。
【００３６】
既に無線接続設定がされている無線複合機３ａは、制御部１１ａ（本発明でいう第２接続制御手段）と、表示部２２ａと、ローカル接続部２３ａと、メモリカード装着部２４ａ（本発明でいう出力手段およびメモリ装着部）と、画像形成部２５ａ（本発明でいう出力手段および画像形成手段）と、画像読取部２６ａと、無線通信部２７ａ（本発明でいう第２無線通信手段）とを備えている。
【００３７】
制御部１１ａは、ＣＰＵ１２ａ、ＲＯＭ１３ａ、ＲＡＭ１４ａ（本発明でいう出力側接続データ記憶手段、パスワード記憶手段、および秘密鍵記憶手段）を有する公知のマイクロコンピュータとして構成されており、ＲＯＭ１３ａに予め格納されたプログラムや、操作部２１ａ（本発明でいう第１受付部および第２受付部）、ローカル接続部２３ａ、無線通信部２７ａから入力される指令等に基づいて、この制御部１１ａに接続された各部を制御する。
【００３８】
操作部２１ａは、例えば、十字キーと決定キーとからなり、使用者によりこれらのキーが操作されると、操作されたキーに応じた信号を制御部１１ａに送信する。
表示部２２ａは、例えば、ＬＣＤ（液晶カラーディスプレイ）として構成されており、制御部１１ａからの指令を受けて、この無線複合機３ａの動作状態等を表示させる。
【００３９】
ローカル接続部２３ａは、例えば、設定用ＰＣ６等の端末装置を接続するためのインターフェイスとして構成されており、このローカル接続部２３ａに端末装置が接続されている場合には、無線複合機３ａは、このローカル接続部２３ａを介して外部と通信を行うことができる。なお、本実施例においては、ローカル接続部２３ａには何も接続されていないものとして説明する。
【００４０】
メモリカード装着部２４ａは、任意のデータを記憶可能なメモリカードを装着するための設けられており、制御部１１ａは、このメモリカード装着部２４ａを介して、装着されたメモリカードに記録された内容の読み書きを行う。
【００４１】
画像形成部２５ａは、制御部１１ａから送信された画像形成指令に基づいて、例えば用紙等の被記録媒体に画像を形成する。
画像読取部２６ａは、この制御部１１ａからの指令に基づいて、画像読取部２６ａにセットされた被記録媒体の記録内容を読み取る。このように画像読取部２６ａにて読み取られた画像は、制御部１１ａにて画像データに変換される。
【００４２】
無線通信部２７ａは、制御部１１ａのＲＡＭ１４ａ内に記憶された無線接続設定に基づいて、無線アクセスポイント８や他の無線複合機との通信を行う。
なお、ＲＡＭ１４ａには、上記の無線接続設定の他に、管理者用パスワードや、機種毎に設定された秘密鍵等のデータが記憶されている。
【００４３】
次に、設定用ＰＣ６は、設定用ＰＣ６を外部操作するためのキーボード６ａ（本発明でいう第１受付部および第２受付部）と、無線複合機３ａのメモリカード装着部２４ａにて読み書き可能な同じ規格のメモリカードを読み書きするためのメモリカード装着部６ｂとを備えている。
【００４４】
設定用ＰＣ６は、このメモリカード装着部６ｂに装着可能なメモリカードを介して、無線複合機３ａ，３ｂに対して相互にデータを送受信することができるよう構成されている。
【００４５】
次に、未だ無線接続設定がされていない無線複合機３ｂは、先に述べた無線複合機３ａと同様の構成にされている。つまり、各無線複合機３ａ，３ｂは、同一の機種であって、ＲＡＭ１４ａ，１４ｂに記憶された無線接続設定のみが異なる。
【００４６】
次に未だ無線接続設定がされていない無線複合機３ｂに無線接続設定を行い、無線アクセスポイント８および無線複合機３ａとの間で通信可能にするための処理について、図２、図３（ａ）、および図４を用いて説明する。
【００４７】
図２は無線複合機３ａの制御部１１ａが実行する無線接続設定出力処理を示すフローチャート、図３（ａ）は無線複合機３ａから出力された画像の一例を示す説明図、図４は無線複合機３ｂの制御部１１ｂ（本発明でいう第１接続制御手段）が実行する無線接続設定入力処理を示すフローチャートである。
【００４８】
これら処理は、既に無線接続設定がされている無線複合機３ａの無線接続設定を画像データとして出力し（図２）、出力された画像データを未だ無線接続設定がされていない無線複合機３ｂにて読み取ることにより、この無線複合機３ｂに無線複合機３ａと同様の設定を行うものである。
【００４９】
なお、図２に示す無線接続設定出力処理において、Ｓ１２０〜Ｓ１３０の処理は、本発明でいう第１禁止手段に相当し、Ｓ１４０〜Ｓ１９０の処理は、本発明でいう暗号化手段に相当する。
【００５０】
また、図４に示すＳ３５０〜Ｓ４００の処理は、本発明でいう復号化手段に相当し、Ｓ４３０およびＳ４６０の処理は、本発明でいう第２禁止手段に相当する。
ここで、図２に示す無線接続設定出力処理は、まず、Ｓ１１０にて、管理者パスワードの入力を求める画像を表示部２２ａに表示させる。この処理は、この無線複合機３ａがこの処理を行う権限を有する者により操作されているか否かを確認するために実行する処理である。
【００５１】
そして、Ｓ１２０にて、操作部２１ａを介して入力された管理者パスワードと、ＲＡＭ１４ａに予め記憶されている管理者パスワードとが一致するか否かを判定する。
Ｓ１２０にて、各管理者パスワードが一致しない場合には、Ｓ１３０に移行し、入力された管理者パスワードが誤りである旨を表すエラーメッセージを表示部２２ａに表示させ、無線接続設定出力処理を終了する。つまり、この処理においては、無線接続データの出力を禁止する。
【００５２】
一方、Ｓ１２０にて、各管理者パスワードが一致した場合には、Ｓ１４０に移行する。
Ｓ１４０では、無線接続データの数値化を行う。即ち、Ｓ１４０では、例えば、管理者用パスワード、接続方式、接続チャンネル、ＷＥＰ  ＫＥＹ等のデータを１〜２５６バイトの数値データに変換する。
【００５３】
なお、ここでは、管理者パスワードも数値化しているが、この管理者パスワードは、後述する無線接続設定入力処理において、管理者以外の者が無線接続設定を実行することができないようにするために使用されるものである。
【００５４】
次に、Ｓ１５０に移行し、数値化したデータに乱数を混ぜる処理を行う。この処理は、数値化したデータに乱数を挟み、常に同じ値にならないようにする。そして、乱数は一定の規則に基づいて挿入し、後で容易に外せるようにする。具体的には、例えば、制御部１１ａにおいて乱数を発生させ、まず、この乱数をデータの先頭に挿入する。そして、この乱数が奇数なら元データを２バイト挟んだ後に、新たに発生させた乱数を１バイト入れ、偶数なら元データを１バイト挟んだ後に新たに発生させた乱数を１バイト入れる。以下、この処理を繰り返す。
【００５５】
そして、Ｓ１６０に移行し、複合機の機種固有の秘密鍵を使い暗号化する。ここで、この暗号化は、例えば、ＩＤＥＡ（International Data Encryption Algorithm）により１２８ビットの秘密鍵を使った公知の演算を行うことによって行う。
【００５６】
次に、Ｓ１７０では、乱数を挿入したデータをマトリックス方式の２次元バーコード画像データ（画像イメージデータ）に変換する。
そして、Ｓ１８０に移行し、画像データを１６分割する処理を行う。具体的には、画像の情報を縦４、横４の同じサイズのエリアに分割する処理を行う。
【００５７】
次いで、Ｓ１９０に移行し、この分割した画像データを、１つおきに入れ替える操作を縦横に行なうことによって画像を組み替える処理を行う。
この処理は、例えばＱＲコード（登録商標）のようなマトリックス方式の２次元バーコードとして画像データを生成した場合、それに対応したバーコードリーダを使用すれば、この２次元バーコードが読み取られてしまう危険があるため、簡単に入手可能なバーコードリーダでは読み取れないように、独自の規則に従ったスクランブルをかけるのである。
【００５８】
この処理によってＱＲコード（登録商標）のリーダでは、２次元バーコードを読み取れなくすることができる。
ここで、Ｓ１９０の処理を終えると、図３（ａ）に示すような２次元バーコード（画像データ）が生成されることになる。
【００５９】
次いで、Ｓ２００にて、この画像データの出力方法として、「印刷」、「外部メモリ」の何れが選択されているかを判定する。「印刷」が選択されていれば、Ｓ２１０に移行し、「外部メモリ」が選択されていれば、Ｓ２３０に移行する。
【００６０】
なお、この処理において、「印刷」または「外部メモリ」を選択する操作は、予め使用者により入力されていてもよいし、Ｓ２００の処理を実行する際に、使用者により操作部２１ａを操作させて選択させてもよい。
【００６１】
Ｓ２１０では、画像データを印刷用データに展開する処理を行い、Ｓ２２０に移行する。
そして、Ｓ２２０では、画像形成部２５ａを駆動して、印刷用データを用紙に印刷する処理を行い、無線接続設定出力処理を終了する。
【００６２】
一方、Ｓ２３０では、画像データを外部メモリにて格納可能な形式のファイルにデータ変換を行う。ここでは、画像データをビットマップイメージとしてファイル化する。
そして、Ｓ２４０にて、特定の名前を付けて外部メモリに出力し、無線接続設定出力処理を終了する。
【００６３】
次に、無線複合機３ｂにて、上記に説明した無線接続設定出力処理にて出力された画像データを読み取り、無線複合機３ｂにおける無線接続設定をする処理について、図４を用いて説明する。
【００６４】
この処理は、画像読取部２６ｂ（本発明でいう取得手段および画像読取手段）に符号化した画像を印刷した用紙をセットし、操作部２１ｂ（本発明でいう第３受付部）を介して無線設定の指示が出されたとき、或いは符号化した画像ファイルの保存されたメモリカードがメモリカード装着部２４ｂ（本発明でいう取得手段およびメモリ装着部）に装着されたときに開始される。なお、メモリカードの場合は、操作部２１ｂを介して指示を受けるまで処理を開始しないように設定されていてもよい。
【００６５】
この処理は、図４に示すように、まず、Ｓ３１０にて、入力ソース（入力される画像データが記録された媒体）は用紙であるかファイル（外部メモリ）であるかを判定する。入力ソースが用紙である場合にはＳ３２０に移行し、入力ソースがファイルである場合にはＳ３４０に移行する。
【００６６】
Ｓ３２０では、画像読取部２６ｂを用いて、無線接続設定が印刷された用紙をスキャンする。そして、Ｓ３３０にて、用紙のうち２次元バーコードが記録された領域のみを切り出す処理を行い、Ｓ３５０に移行する。
【００６７】
また、Ｓ３４０では、メモリカード装着部２４ｂに装着された外部メモリから、２次元バーコードの画像データを読み込み、Ｓ３５０に移行する
Ｓ３５０では、Ｓ１８０と同様の方法にて画像を１６分割する処理を行い、Ｓ３６０に移行する。
【００６８】
そして、Ｓ３６０では、Ｓ１７０にて行った処理を逆に辿る（即ち、分割した画像を１つおきに入れ替える処理を行う）ことにより、２次元バーコードとして読取可能な画像データに変換する。
【００６９】
次いで、Ｓ３７０に移行し、この２次元バーコードとしての画像データを数値化する。
そして、Ｓ３８０に移行し、数値化されたデータを、秘密鍵を用いて解読する。ここで、この秘密鍵は、機種によって決定されるものであるので、画像データを出力した装置（ここでは無線複合機３ａ）が、この装置（無線複合機３ｂ）と同じ機種であれば、同じ秘密鍵を用いて複合化を行うこととなる。
【００７０】
次いで、Ｓ３９０に移行し、数値化されたデータに挟み込まれた乱数を取り除く処理を行う。本実施例では、このデータの初めの１バイトを削除し、削除した値が奇数なら、初２バイト先のデータを１バイト消す。また、削除したデータが偶数なら、１バイト先のデータを１バイト削除する。そして削除したデータの奇偶に従い同様の操作を繰り返し、余計な値を排除する。この処理により生成されたデータは、無線設定データを数値化しただけのものとなる。
【００７１】
このため、Ｓ４００にて、数値化された無線設定データを元の無線設定データに戻す処理を行うことにより、無線複合機３ｂにて認識可能な無線接続データとしている。
ここで、画像データを印刷した用紙が汚れていたり、暗号化に使用する秘密鍵と複合化に使用する秘密鍵とが共通でない場合など、暗号化および複合化に何らかの問題がある場合には、複合化された無線接続データの値域が外れてしまったり、無効な設定が読み出されてしまったりすることになる。
【００７２】
このため、Ｓ４１０にて、無線接続データの各設定値の値域が有効な範囲内であるか否かを判定する。各設定値の値域が有効な範囲内であればＳ４３０に移行し、設定値の一部に無効な値域のものがあればＳ４２０に移行する。
【００７３】
Ｓ４２０では、設定値は無効なものとして、エラーメッセージを表示部２２ｂに表示させ、無線接続設定入力処理を終了する。
一方、Ｓ４３０では、管理者用パスワードを要求する。ここで要求する管理者用パスワードはＳ１１０にて入力され、画像データに組み込まれていたパスワードである。即ち、符号化を行なったデバイスの管理者以外の者が、自分の使っている機器等に勝手に無線設定を行えないようにするためにこの処理を行っている。
【００７４】
管理者用パスワードが、例えば、操作部２１ａを介して入力されると、Ｓ４４０に移行し、入力された管理者用パスワードが、符号化されていた管理者用パスワードと一致しているか否かを判定する。これらのパスワードが一致していれば、Ｓ４５０に移行し、複合化した設定値をＲＡＭ１４ｂ（本発明でいう入力側接続データ記憶手段および秘密鍵記憶手段）に記憶し、この記憶内容に基づいて、自機（無線複合機３ｂ）に無線接続設定を行い、無線接続設定入力処理を終了する。
【００７５】
また、Ｓ４４０にて、各管理者用パスワードが一致しなければ、Ｓ４６０に移行し、パスワードエラーメッセージを表示して、無線接続設定入力処理を終了する。即ち、Ｓ４６０の処理では、無線接続設定を禁止している。
【００７６】
以上のように詳述した無線接続設定システム１ａにおいて、無線複合機３ａは、無線端末を特定のネットワークに無線接続するための無線接続データを記憶するＲＡＭ１４ａと、メモリカード装着部２４ａと、画像形成部２５ａと、を備えている。
【００７７】
また、無線複合機３ｂは、無線アクセスポイント８または他の無線端末を通信対象として、この通信対象と無線でデータ通信を行うことで特定のネットワークへの無線接続を実行可能な無線通信部２７ｂ（本発明でいう第１無線通信手段）と、無線通信部２７ｂを特定のネットワークに無線接続するための無線接続データを記憶するＲＡＭ１４ｂと、ＲＡＭ１４ｂに記憶された無線接続データに基づいて、無線通信部２７ｂを制御することにより、通信対象との無線接続を確立する制御部１１ｂと、メモリカード装着部２４ａおよび画像形成部２５ａにより暗号化データが出力された記録媒体から、暗号化データを取得するメモリカード装着部２４ｂおよび画像読取部２６ｂと、を備えている。
【００７８】
そして、無線複合機３ａは、無線接続設定出力処理において、外部から無線接続データの要求を受けると、ＲＡＭ１４ａに記憶された無線接続データを暗号化した暗号化データを生成し、この暗号化された暗号化データを、メモリカード装着部２４ａまたは画像形成部２５ａを用いて、記録媒体に出力する。
【００７９】
また、無線複合機３ｂは、無線接続設定入力処理において、メモリカード装着部２４ｂまたは画像読取部２６ｂにより取得された暗号化データを復号化することにより、暗号化前の無線接続データを生成し、ＲＡＭ１４ｂに記憶させる。
【００８０】
従って、このような無線接続設定システム１ａによれば、暗号化された無線接続データを無線複合機３ａから無線複合機３ｂに入力するので、この暗号化された無線接続データが漏洩したとしても、この特定のネットワークに無線接続されないようにすることができる。
【００８１】
また、このような無線接続設定システム１ａによれば、１台だけ無線ネットワークに繋がる設定ができれば、符号化した無線設定を使って残りの複合機を簡単に無線ネットワークに繋ぐことができる。つまり、無線に繋がっている無線端末がオフィス内に既にあるならば、他の無線端末を追加導入する際に、殆ど手間が必要なくなるのである。
【００８２】
また、本実施例の無線接続設定システム１ａにおいては、無線接続設定出力処理にて、無線接続データを数値化し、この数値化したデータに予め設定された条件で乱数を混ぜ、この乱数を混ぜたデータを暗号化することにより暗号化データを生成している。また、無線接続設定入力処理にて、暗号化データを復号化し、無線接続設定出力処理により混ぜられた乱数を同様の条件で取り除き、暗号化前の無線接続データを生成している。
【００８３】
従って、このような無線接続設定システム１ａによれば、乱数を混ぜることにより暗号化データを複雑にすることができるので、暗号化データをより解読され難くすることができる。
【００８４】
さらに、本実施例の無線接続設定システム１ａにおいては、無線接続設定出力処理にて、暗号化データを画像化した２次元バーコード（画像データ）を生成し、無線接続設定入力処理にて、無線接続設定出力処理により生成された画像データを暗号化データに復元し、この暗号化データを復号化することにより、暗号化前の無線接続データを生成している。
【００８５】
従って、このような無線接続設定システム１ａによれば、暗号化データをより解読され難くすることができる。
また、本実施例の無線接続設定システム１ａにおいて、無線接続設定出力処理は、画像データに可逆の画像変換を加えた新たな画像データを生成している。具体的には、画像データを分割し、この分割した画像データの少なくとも１つに対して、復元可能な画像変換を加えた新たな画像データを生成している。
【００８６】
従って、このような無線接続設定システム１ａによれば、暗号化をより複雑にすることができるので、暗号化データを解読され難くすることができる。
また、市販のバーコードリーダを用いても、この２次元バーコードに記載されている内容を読み取れないようにすることができる。
【００８７】
加えて、本実施例の無線接続設定システム１ａにおいては、無線複合機３ａは、入力された画像データに基づく画像を被記録媒体に形成する画像形成部２５ａを備え、無線複合機３ｂは、被記録媒体に形成された画像を読み取り画像データに変換する画像読取部２６ｂを備えている。そして、メモリカード装着部２４ａおよび画像形成部２５ａは、画像形成部２５ａを用いて、無線接続設定出力処理により生成された画像データを画像として被記録媒体に書き込み、メモリカード装着部２４ｂおよび画像読取部２６ｂは、画像読取部２６ｂを用いて、画像形成部２５ａにより書き込まれた画像を読み取り、この読み取った画像を画像データに変換し、画像データを読み取るよう構成されている。
【００８８】
また、本実施例の無線接続設定システム１ａにおいては、上記の構成に加えて、無線複合機３ａおよび無線複合機３ｂは、共通規格の外部メモリを相互に脱着可能なメモリ装着部を備えている。そして、メモリカード装着部２４ａおよび画像形成部２５ａは、無線複合機３ａのメモリ装着部に装着された外部メモリに無線接続データを含む画像データを記録する。さらに、メモリカード装着部２４ｂおよび画像読取部２６ｂは、メモリカード装着部２４ａおよび画像形成部２５ａによる画像データが記録され、無線複合機３ｂのメモリ装着部に装着された外部メモリから無線接続データを含む画像データを入力するよう構成されている。
【００８９】
従って、このような無線接続設定システム１ａによれば、無線複合機３ａと無線複合機３ｂとをケーブル等で接続するなどの手間を掛けることなく、容易かつ確実に無線接続設定を行うことができる。
【００９０】
また、本実施例の無線接続設定システム１ａにおいて、無線複合機３ａは、特定のネットワークを管理するための管理者用パスワードを記憶するＲＡＭ１４ａと、使用者から管理者用パスワードの入力を受け付けるための操作部２１ａと、を備えている。そして、無線複合機３ａは、無線接続設定出力処理にて、操作部２１ａを介して入力された管理者用パスワード、およびＲＡＭ１４ａに記憶された管理者用パスワードを照合し、各管理者用パスワードが一致しなかった場合にメモリカード装着部２４ａおよび画像形成部２５ａに暗号化データを出力させないようにする。
【００９１】
従って、このような無線接続設定システム１ａによれば、管理者用パスワードを知るもの以外が不正にネットワークに接続することを禁止することができる。
さらに、本実施例の無線接続設定システム１ａにおいては、無線接続設定出力処理にてＲＡＭ１４ａに記憶された無線接続データと、操作部２１ａを介して入力された管理者用パスワードとを、暗号化した暗号化データを生成し、記録媒体に出力する。
【００９２】
そして、無線複合機３ｂは、使用者から管理者用パスワードの入力を受け付けるための操作部２１ｂを備えており、無線接続設定入力処理において、メモリカード装着部２４ｂおよび画像読取部２６ｂにより取得された暗号化データを復号化することにより、暗号化前の無線接続データおよび管理者用パスワードを生成し、生成された管理者用パスワード、および操作部２１ｂを介して入力された管理者用パスワードを照合し、各管理者用パスワードが一致しなかった場合に制御部１１ｂに通信対象との無線接続を確立させないようにする。
【００９３】
従って、このような無線接続設定システム１ａによれば、無線複合機３ａ側、および無線複合機３ｂ側にて入力された管理者用パスワードが一致しない場合には、無線接続を確立させないようにすることができるので、無線接続データが記録された記録媒体を権限を持たない者に入手された場合であっても、その者により無線接続が確立されてしまうことを防止することができる。
【００９４】
また、管理者パスワードについても暗号化するので、よりセキュリティ性を向上させることができる。
さらに、本実施例の無線接続設定システム１ｂにおいては、無線複合機３ａおよび無線複合機３ｂは、無線接続設定をする無線複合機３ｂの機種に応じて設定された秘密鍵を記憶するＲＡＭ１４ａ，１４ｂを備えている。そして、無線複合機３ａは、無線接続設定出力処理にて、無線複合機３ａのＲＡＭ１４ａに記憶された秘密鍵を用いて暗号化データを生成し、無線複合機３ｂは、無線接続設定入力処理にて、無線複合機３ｂのＲＡＭ１４ｂに記憶された秘密鍵を用いて復号化を行う。
【００９５】
従って、このような無線接続設定システム１ｂによれば、秘密鍵が一致しない場合には、データの復号化を正常に行うことができないので、不正な無線接続を防止することができる。
【００９６】
また、秘密鍵の種類は、機種毎に設定されているので、同じ機種の無線接続設定を容易に行うことができる。また、無線接続設定を違う機種に設定することによる不具合を未然に防止することができる。
【００９７】
さらに、機種固有の秘密鍵を使っているので、違う機種で符号化したものは復号化できなくなる。このため、セキュリティ機能の仕様が違うものを適用してしまうのを防ぐことができる。
【００９８】
また、機種毎に秘密鍵を変えることで鍵が解読されるリスクを下げることができる。
なお、本発明の実施の形態は、上記の実施形態に何ら限定されることはなく、本発明の技術的範囲に属する限り種々の形態を採りうる。
【００９９】
例えば、本実施例においては、用紙（被記録媒体）、またはメモリカード装着部に装着されて読み書きされる接触式のメモリカードに無線接続データを記録するよう構成したが、例えば、これ構成以外には、非接触式メモリカード（ＩＣカード）等を適用することができる。
【０１００】
また、本実施例においては無線複合機３ａと設定用ＰＣ６とが切断された状態としたが、無線複合機３ａが設定用ＰＣ６と繋がっていてもよい（図１の破線の部分）。これらが繋がっていない状態においては、初めに１台目の無線複合機３ａについて無線接続設定をする際に、無線複合機３ａ側の操作部３ａによる文字の入力操作が煩雑になる虞があるが、このように無線複合機３ａと設定用ＰＣ６とを接続しておくことにより、設定用ＰＣ６のキーボード６ａを用いて無線接続データを入力することができる。このため、長い暗号キー等を設定する手間を省き、入力間違いによる接続不能状態を回避することができる。
【０１０１】
さらに、本実施例において、無線接続データを暗号化する際には、暗号化の方法として、ＩＤＥＡを使用したが、どのような方法を使っても構わない。
また、本実施例に使用したマトリックス方式の２次元バーコードは、例えば、ＶＥＲＩ  ＣＯＤＥ（ベリコード）、ＱＲコード（登録商標）、等の方式や、オリジナルのフォーマットのどの方式であってもよい。また、マトリックス方式の２次元バーコードに限らず、数値を画像に変換できればどのような方式でもよい。
【０１０２】
さらに、本実施例のＳ１８０およびＳ１９０の処理においては、画像データを１６分割し、分割した画像データを１つおきに入れ替える操作を縦横に行なうことにより一般のバーコードリーダにて画像データが読み取られることがないようにしたが、画像を一般のバーコードリーダで読めなくでき、かつ、後で元の画像に戻すことができる画像変換（可逆の画像変換）であれば、どのような処理を行ってもよい。
【０１０３】
加えて、本実施例において、メモリカードには画像データを記録するよう構成したが、メモリカードに記録される情報は、無線接続設定そのものを暗号化したものであってもよい。しかしながら、メモリカードに記録される情報は、本実施例のように、紙に記録する符号化した画像そのものの情報である方が、セキュリティの観点からより望ましい。即ち、メモリカードに記録される情報が画像である場合には、メモリカード上の情報ファイルをＰＣ等の読取装置で読み込んだとしてもファイルの中のビット列は直接セキュリティ設定をさしているものではないため、読取装置上では解読され難くすることができるからである。
【実施例２】
【０１０４】
次に、別形態の無線接続設定システム１ｂについて説明する。本実施例（実施例２）にて説明する無線接続設定システム１ｂは、無線接続設定出力処理が異なるのみであって、その他の構成は実施例１の無線接続設定システム１ａと同様の構成である。従って、本実施例（実施例２）では、実施例１の無線接続設定システム１ａと異なる箇所のみを詳述し、実施例１の無線接続設定システム１ａと同様の箇所については、同一の符号を付して説明を省略する。
【０１０５】
なお、本実施例の無線接続設定システム１ｂにおいて、設定用ＰＣ６の内部に設けられた記憶部（図示省略）は、本発明でいうＲＡＭ１４ａ、ＲＡＭ１４ａ、および秘密鍵記憶手段に相当する。また、設定用ＰＣ６のメモリカード装着部６ｂは、メモリ装着部に相当し、キーボード６ａは、入力装置に相当する。
【０１０６】
本実施例の無線接続設定システム１ｂにおいては、設定用ＰＣ６と、ローカル接続部２３ａとが通信可能に接続されており、設定用ＰＣ６が無線接続設定出力処理を実行する。即ち、無線接続設定出力処理を行うためのアプリケーションが設定用ＰＣ６に予めインストールされており、このアプリケーションを起動したときに、設定用ＰＣ６は無線接続設定出力処理を開始する。この処理について、図５を用いて説明する。
【０１０７】
この処理は、まず、Ｓ５００にて、無線接続設定画面を設定用ＰＣ６のディスプレイ（図示省略）に表示させる。この無線設定画面に表示される項目は、図３（ｂ）に示すように、管理者用パスワード（設定パスワード）、設定対象機種、接続方式、接続チャンネル、認証方式、暗号方式、暗号キー（秘密鍵）等である。なお、ここでは、これらの各項目の数値が入力されていない状態の画像がディスプレイに表示される。
【０１０８】
次いで、Ｓ５１０に移行し、使用者にキーボード６ａまたはマウス（図示省略）等の入力装置が操作されることにより、画面上のＰＣ設定読込ボタンが押されたか否かを判定する。ＰＣ設定読込ボタンが押されていればＳ５２０に移行し、ＰＣ設定読込ボタンが押されていなければＳ５４０に移行する。
【０１０９】
Ｓ５２０では、アプリケーションにおいて記憶されている無線通信機能の設定を読み込みＳ５３０に移行する。なお、このとき、複数の機種についての無線通信機能を読込可能な場合には、無線接続設定する機種を使用者に選択させ、この選択結果に基づいて、暗号化の際に使用する秘密鍵を選択する（本発明でいう選択手段に相当）。
【０１１０】
そして、Ｓ５３０では、この設定の内容をアプリケーション画面に反映させ、Ｓ５１０に戻る。Ｓ５３０の処理を終了すると、ディスプレイに表示される画像は、図３（ｂ）に示すように、無線接続設定の各欄（設定パスワード等）に文字や数値が記載された状態になる。
【０１１１】
また、Ｓ５４０では、使用者にキーボード６ａ等の入力装置が操作されることにより、「印刷」または「ファイル保存」のボタンが押されたか否かを判定する。「印刷」または「ファイル保存」のボタンが押されていればＳ５５０に移行し、これらのボタンが押されていなければＳ５１０に戻る。
【０１１２】
次に、Ｓ５５０では、アプリケーション画面に入力されている無線設定データを数値化する処理を行う。この数値化する処理については、実施例１のＳ１４０の処理と同様の処理である。
【０１１３】
そして、Ｓ１５０〜Ｓ１９０の処理を順に行う。これらの処理は、実施例１の処理と同様であるため、説明を省略する。
次に、Ｓ１９０の処理を終了すると、Ｓ５６０に移行する。
【０１１４】
Ｓ５６０では、Ｓ５４０において押されていたボタンが「印刷」であるか「ファイル保存」であるかを判定する。押されていたボタンが「印刷」であればＳ２１０に移行し、押されていたボタンが「ファイル保存」であれば、Ｓ２３０に移行する。
【０１１５】
なお、Ｓ２１０〜Ｓ２４０の処理は、実施例１の処理と同様である。また、Ｓ２２０にて印刷を行う際には、無線複合機３ａの画像形成部２５ａを用いて印刷を行う。
このようにして本実施例の無線接続設定出力処理は実行される。
【０１１６】
以上のように詳述した無線接続設定システム１ｂにおいて、設定用ＰＣ６の記憶部は、複数の機種に対応して設定された複数種類の秘密鍵を記憶しており、設定用ＰＣ６は、無線接続設定出力処理にて、記憶部に記憶された複数種類の秘密鍵から無線接続設定をする無線複合機３ｂの機種に対応した秘密鍵を外部指令に基づいて選択し、選択された秘密鍵を用いて暗号化データを生成する。
【０１１７】
従って、このような無線接続設定システム１ｂによれば、機種毎に秘密鍵が設定されている場合であっても、機種毎に設定用ＰＣ６を用意することなく、複数の機種における無線接続設定に対応することができる。
【０１１８】
さらに、本実施例の無線接続設定システム１ｂにおいては、設定用ＰＣ６に文字入力が可能な入力装置が備えられており、メモリカード装着部２４ａおよび画像形成部２５ａは、入力装置を介して入力された無線接続データを記録媒体に出力する。
【０１１９】
このような無線接続設定システム１ｂによれば、入力装置から無線接続データを入力することができるので、無線複合機３ａに無線接続設定がされておらず、メモリカード装着部２４ｂおよび画像読取部２６ｂを使用せずに無線接続データを入力したい場合にも、無線複合機３ａに容易に無線接続データを入力することができる。つまり、最初の１台の無線端末に無線接続設定をする際にも、容易に無線接続設定を行うことができる。なお、このような構成の場合には、設定用ＰＣ６が本発明でいうデータ出力装置に相当し、無線複合機３ａが本発明でいう端末装置に相当する。
【０１２０】
特に本実施例においては、入力装置を多数のボタンが備えられたキーボードにより構成しているので、多くの文字の中から入力する文字を選択する必要がある場合や、多くの文字を入力する必要がある場合であっても、短時間で文字を入力することができる。
【０１２１】
さらに、本実施例の無線接続設定システム１ｂにおいて、無線複合機３ａは、無線アクセスポイント８、無線複合機３ｂ、または他の無線複合機３ｂを通信対象として、この通信対象と無線でデータ通信を行うことで特定のネットワークへの無線接続を実行可能な無線通信部２７ａと、予め設定された無線接続に関する無線接続データに基づいて、無線通信部２７ａを制御することにより、通信対象との無線接続を確立する制御部１１ａとを備えており、制御部１１ａは、無線接続データの要求を受けると、無線接続を確立する際に利用した無線接続データを読み出し、ＲＡＭ１４ａに記憶させる。
【０１２２】
従って、このような無線接続設定システム１ｂによれば、既に無線接続設定がされている無線複合機３ａの設定を、そのまま無線複合機３ｂに設定することができるので、極めて容易に無線複合機３ｂに無線接続設定を行うことができる。
【０１２３】
なお、本実施例においては、Ｓ５２０にて、アプリケーションにおいて記憶されている無線通信機能の設定を読み込むよう構成したが、無線ネットワークの機能を搭載したパーソナルコンピュータ等の端末装置のように、端末装置内に無線接続設定を記憶している場合には、アプリケーションによりパーソナルコンピュータで動作しているＯＳ（オペレーティングシステム）、或いはそのＯＳが利用する記憶部にアクセスし、無線接続設定を読み出すよう構成してもよい（本発明でいう記憶制御手段に相当）。
【図面の簡単な説明】
【０１２４】
【図１】実施例１における無線接続設定システム１ａを示すブロック図である。
【図２】実施例１における無線接続設定出力処理を示すフローチャートである。
【図３】無線複合機３ａから出力された画像の一例を示す説明図（ａ）、および設定用ＰＣ６のディスプレイに表示させる無線接続設定画面の一例を示す説明図（ｂ）である。
【図４】無線接続設定入力処理を示すフローチャートである。
【図５】実施例２における無線接続設定出力処理を示すフローチャートである。
【符号の説明】
【０１２５】
１ａ，１ｂ…無線接続設定システム、３ａ，３ｂ…無線複合機、６…設定用ＰＣ、６ａ…キーボード、６ｂ…メモリカード装着部、８…無線アクセスポイント、１１ａ，１１ｂ…制御部、１２ａ，１２ｂ…ＣＰＵ、１３ａ，１３ｂ…ＲＯＭ、１４ａ，１４ｂ…ＲＡＭ、２１ａ，２１ｂ…操作部、２２ａ，２２ｂ…表示部、２３ａ，２３ｂ…ローカル接続部、２４ａ，２４ｂ…メモリカード装着部、２５ａ，２５ｂ…画像形成部、２６ａ，２６ｂ…画像読取部、２７ａ，２７ｂ…無線通信部。
【図１】
2006279831.tif 000003
【図２】
2006279831.tif 000004
【図３】
2006279831.tif 000005
【図４】
2006279831.tif 000006
【図５】
2006279831.tif 000007